【手続補正書】
【提出日】平成16年2月3日(2004.2.3)
【手続補正１】
【補正対象書類名】明細書
【補正対象項目名】特許請求の範囲
【補正方法】変更
【補正の内容】
【特許請求の範囲】
【請求項１】
本体内部の洗浄槽内に食器類を載置した食器かごを収容して、洗浄水やすすぎ水、又は第１の加熱手段により加熱した洗浄水やすすぎ水を、噴射ノズルより前記食器類に向け噴射して洗浄する食器洗浄機において、
第２の加熱手段を有するボイラと、
前記ボイラに給水する給水手段と、
一端が前記ボイラに接続され、他端にジェットノズルを有する外部洗浄装置と、
を設けたことを特徴とする食器洗浄機。
【請求項２】
ジェットノズルに、ボイラからのスチーム等を噴射自在に開閉操作するトリガを設けたことを特徴とする請求項１記載の食器洗浄機。
【請求項３】
ボイラと給水手段との間に逆止弁を設けたことを特徴とする請求項１記載の食器洗浄機。
【請求項４】
外部洗浄装置を、可撓性連通管を介して本体に接続するとともに、該本体に、外部洗浄装置を着脱自在に保持する保持手段を設けたことを特徴とする請求項１記載の食器洗浄機。
【請求項５】
洗浄槽内の洗浄水やすすぎ水を加熱する第１の加熱手段への通電中に、外部洗浄装置を使用し、ボイラ側の第２の加熱手段への通電が開始された場合、前記ボイラ側の第２の加熱手段への給電を優先し、前記洗浄槽側の第１の加熱手段への通電を一時停止し、ボイラ側の第２の加熱手段への通電が終了した後、一時停止を自動解除し、洗浄槽側の第１の加熱手段への通電を再開するように制御する給電制御装置を設けたことを特徴とする請求項１記載の食器洗浄機。
【請求項６】
ボイラから発生するスチーム等を洗浄槽内にジェット状に噴射する洗浄槽内ジェットノズルを新たに設置するとともに、ボイラから発生するスチーム等の供給先を外部洗浄装置側と洗浄槽内側との間で切り換える切換弁を設けたことを特徴とする請求項１乃至請求項５のいずれかに記載の食器洗浄機。
【手続補正２】
【補正対象書類名】明細書
【補正対象項目名】０００１
【補正方法】変更
【補正の内容】
【０００１】
【発明の属する技術分野】
本発明は、スチーム等をジェット状に噴射して食器を洗浄する食器洗浄機に関するものである。


【手続補正３】
【補正対象書類名】明細書
【補正対象項目名】０００９
【補正方法】変更
【補正の内容】
【０００９】
【課題を解決するための手段】
本発明の請求項１に係る食器洗浄機は、本体内部の洗浄槽内に食器類を載置した食器かごを収容して、洗浄水やすすぎ水、又は第１の加熱手段により加熱した洗浄水やすすぎ水を、噴射ノズルより前記食器類に向け噴射して洗浄する食器洗浄機において、第２の加熱手段を有するボイラと、ボイラに給水する給水手段と、一端がボイラに接続され、他端にジェットノズルを有する外部洗浄装置と、を設けたものである。
また、請求項２に係る食器洗浄機は、ジェットノズルに、ボイラからのスチーム等を噴射自在に開閉操作するトリガを設けたものである。
【手続補正４】
【補正対象書類名】明細書
【補正対象項目名】００１０
【補正方法】変更
【補正の内容】
【００１０】
また、請求項３に係る食器洗浄機は、ボイラと給水手段との間に逆止弁を設けたものである。


【手続補正５】
【補正対象書類名】明細書
【補正対象項目名】００１１
【補正方法】変更
【補正の内容】
【００１１】
また、請求項４に係る食器洗浄機は、外部洗浄装置を、可撓性連通管を介して食器洗浄機本体に接続するとともに、食器洗浄機本体に、外部洗浄装置を着脱自在に保持する保持手段を設けたものである。


【手続補正６】
【補正対象書類名】明細書
【補正対象項目名】００１２
【補正方法】変更
【補正の内容】
【００１２】
また、請求項５に係る食器洗浄機は、洗浄槽内の洗浄水やすすぎ水を加熱する第１の加熱手段への通電中に、外部洗浄装置を使用し、ボイラ側の第２の加熱手段への通電が開始された場合、ボイラ側の第２の加熱手段への給電を優先し、洗浄槽側の第１の加熱手段への通電を一時停止し、ボイラ側の第２の加熱手段への通電が終了した後、一時停止を自動解除し、洗浄槽側の第１の加熱手段への通電を再開するように制御する給電制御装置を設けたものである。


【手続補正７】
【補正対象書類名】明細書
【補正対象項目名】００１３
【補正方法】変更
【補正の内容】
【００１３】
また、請求項６に係る食器洗浄機は、ボイラから発生するスチーム等を洗浄槽内にジェット状に噴射する洗浄槽内ジェットノズルを新たに設置するとともに、ボイラから発生するスチーム等の供給先を外部洗浄装置側と洗浄槽内側との間で切り換える切換弁を設けたものである。


【手続補正８】
【補正対象書類名】明細書
【補正対象項目名】００２３
【補正方法】変更
【補正の内容】
【００２３】
ボイラ１７で発生したスチームは、回動屈曲自在の連通管２１を通り、外部洗浄装置１８に送られる。ここで、茶碗蒸しの汚れやカップについた口紅、灰皿、三角コーナーなど、本体１内で洗えないもの、本体１内で洗いたくないものに、外部洗浄装置１８のジェットノズル１９を向けてトリガ１８ａを引くと、ジェットノズル１９からスチーム等が噴射され、高温のスチーム等の噴射圧力により、汚れ成分が除去される。


【手続補正９】
【補正対象書類名】明細書
【補正対象項目名】００２７
【補正方法】変更
【補正の内容】
【００２７】
各図において、２５は切換弁、２６は洗浄槽内に設けたジェットノズル、２７はスチーム等の外部ジェット噴射を確認するためのＬＥＤ、２８はスチーム等の洗浄槽内ジェット噴射を確認するためのＬＥＤである。それ以外の構成は前述の第１実施形態（図１，図２）のものと同一であり、かつ前記第１実施形態のもつ機能を全て備えている。


【手続補正１０】
【補正対象書類名】明細書
【補正対象項目名】００２８
【補正方法】変更
【補正の内容】
【００２８】
本実施形態の食器洗浄機において、スチームボタン２３を押すと外部ジェット噴射確認用ＬＥＤ２７が点灯する。このとき、切換弁２５は外部洗浄装置１８側に切換られ、ボイラ１７が稼動中で、外部洗浄装置１８のトリガ１８ａを引くとジェットノズル１９からスチーム等が噴射される。


【手続補正１１】
【補正対象書類名】明細書
【補正対象項目名】００２９
【補正方法】変更
【補正の内容】
【００２９】
スチームボタン２３を再度押すと、洗浄槽内ジェット噴射確認用ＬＥＤ２８が点灯する。このとき、切換弁２５は洗浄槽内ジェットノズル２６側に切換えられ、ボイラ１７が稼動中で、洗浄槽２内にスチーム等が噴射される。このため、洗剤を使わずに噴射ノズルとの相乗効果で食器の洗浄性能を向上させることができる。なお、洗浄槽内ジェットノズル２６は複数個設けてもよい。


【手続補正１２】
【補正対象書類名】明細書
【補正対象項目名】００３１
【補正方法】変更
【補正の内容】
【００３１】
【発明の効果】
以上述べたように、請求項１の発明によれば、第２の加熱手段を有するボイラと、ボイラに給水する給水手段と、一端がボイラに接続され、他端にジェットノズルを有する外部洗浄装置と、を設けたので、本体内では洗い難い茶碗蒸しの汚れやカップについた口紅、本体内に収容できないサイズのなべや換気扇の羽根、汚れの質から食器洗浄機で洗うことがはばかられるペット用食器、灰皿、三角コーナ、流し台シンクのセンターポケットなども、手洗いすることなく、洗剤を使わず清潔に洗浄することができた。
また、請求項２の発明によれば、ジェットノズルに、ボイラからのスチーム等を噴射自在に開閉操作するトリガを設けたので、使い勝手が向上した。
【手続補正１３】
【補正対象書類名】明細書
【補正対象項目名】００３２
【補正方法】変更
【補正の内容】
【００３２】
また、請求項３の発明によれば、ボイラと給水手段との間に逆止弁を設けたので、給水手段側ヘスチーム等が逆流するのを防止できて、ボイラ内の圧力を確保することができた。このため、ジェットノズルからの噴射圧力を高めることができて、洗剤を使わずに洗浄性能を向上させることができた。


【手続補正１４】
【補正対象書類名】明細書
【補正対象項目名】００３３
【補正方法】変更
【補正の内容】
【００３３】
また、請求項４の発明によれば、外部洗浄装置を、可撓性連通管を介して本体に接続するとともに、本体に、外部洗浄装置を着脱自在に保持する保持手段を設けたので、可撓性連通管で届くエリア内であれば、外部洗浄装置を自由に持ち運んでジェットノズルを望む方向に向けることができ、使い勝手が向上し、かつ外部洗浄装置の収納も容易となった。


【手続補正１５】
【補正対象書類名】明細書
【補正対象項目名】００３４
【補正方法】変更
【補正の内容】
【００３４】
また、請求項５の発明によれば、洗浄槽内の洗浄水やすすぎ水を加熱する第１の加熱手段への通電中に、外部洗浄装置を使用し、ボイラ側の第２の加熱手段への通電が開始された場合、ボイラ側の第２の加熱手段への給電を優先し、洗浄槽側の第１の加熱手段への通電を一時停止し、ボイラ側の第２の加熱手段への通電が終了した後、一時停止を自動解除し、洗浄槽側の第１の加熱手段への通電を再開するように制御する給電制御装置を設けたので、使用電力が過大となるのを防止することができた。


【手続補正１６】
【補正対象書類名】明細書
【補正対象項目名】００３５
【補正方法】変更
【補正の内容】
【００３５】
また、請求項６の発明によれば、ボイラから発生するスチーム等を洗浄槽内にジェット状に噴射する洗浄槽内ジェットノズルを新たに設置するとともに、ボイラから発生するスチーム等の供給先を外部洗浄装置側と洗浄槽内側との間で切り換える切換弁を設けたので、洗浄槽内にもスチーム等を供給することができた。このため、洗剤を使わずに噴射ノズルとの相乗効果で食器の洗浄性能を向上させることができた。